(57)【要約】【課題】簡易な構造かつ廉価であり、少量の洗剤でも泡立ち性に優れるとともに背中洗いも手軽に行うことを可能とする。【解決手段】繊維素材のメッシュシート１６からなる筒状体１８を折り込んで二層構成とした少なくとも第１筒状体２乃至第３筒状体４とから構成され、第２筒状体３と第３筒状体４が、第１筒状体２の第１開口端部２２と第２開口端部２３にそれぞれの第１開口端部２４，２６を重ね合わせて第１結束体７と第２結束体８により結合して第１筒状体２の内部空間１９に出し入れ自在とし、第１閉塞紐１０と第２閉塞紐１２により閉塞された第２開口端部２５，２７にそれぞれ手持ち紐１１、１３を設ける。【選択図】  図１
0003125930.tif 000002
【実用新案登録請求の範囲】
【請求項１】
繊維素材のメッシュシートからなる筒状体を折り込んで少なくとも二層構成とした少なくとも第１筒状体乃至第３筒状体とから構成され、
上記第１筒状体に対して上記第２筒状体と上記第３筒状体が、上記第１筒状体の第１開口端部と第２開口端部にそれぞれの第１開口端部を重ね合わせて第１結束体と第２結束体により拡径・縮径自在に結合されることにより、上記第１筒状体の上記第１開口端部と上記第２開口端部からその内部に出し入れ自在とし、
第１閉塞紐と第２閉塞紐によりそれぞれ閉塞された上記第２筒状体と上記第３筒状体の第２開口端部にそれぞれ第１手持ち紐と第２手持ち紐を設けたことを特徴とするボディウォシュタオル。
【請求項２】
繊維素材のメッシュシートからなる筒状体を折り込んで少なくとも二層構成とした少なくとも第１筒状体乃至第５筒状体とから構成され、
上記第１筒状体に対して上記第２筒状体と上記第３筒状体が、上記第１筒状体の第１開口端部と第２開口端部にそれぞれの第１開口端部を重ね合わせて第１結束体と第２結束体により拡径・縮径自在に結合されることにより、上記第１筒状体の上記第１開口端部と上記第２開口端部からその内部に出し入れ自在とし、
上記第１筒状体に対して上記第４筒状体と上記第５筒状体が、上記第１筒状体をそれぞれの内部に収納してその外周部の軸方向の略中央部において重ね合わせたそれぞれの第１開口端部を第３結束体により全周に亘って結合されるとともに、それぞれの第２開口端部側を上記第１筒状体の上記第１開口端部と上記第２開口端部から突出させるようにして上記第１結束体と上記第２結束体により上記第２筒状体と上記第３筒状体とに共止めした状態で結合し、
第１閉塞紐と第２閉塞紐によりそれぞれ閉塞された上記第２筒状体と上記第３筒状体の第２開口端部にそれぞれ手持ち紐を設けたことを特徴とするボディウォシュタオル。
【請求項３】
上記第１筒状体の内部に、固形洗剤を装填自在とする洗剤装填袋を設けたことを特徴とする請求項１又は請求項２に記載のボディウォシュタオル。
【請求項４】
上記第１筒状体に対して上記第２筒状体と上記第３筒状体４が、上記第１筒状体の上記第１開口端部と上記第２開口端部にそれぞれの上記第１開口端部を折り返し状態にして重ね合わせて上記第１結束体と上記第２結束体によりそれぞれ結合されることを特徴とする請求項１乃至請求項３のいずれか１項記載のボディウォシュタオル。
【考案の詳細な説明】
【技術分野】
【０００１】
本考案は、体洗い用タオル、すなわちボディタオルやあかすり等のボディウォシュタオルに関する。
【背景技術】
【０００２】
ボディウォシュタオルは、一般に皮膚に優しく水切りも良好な綿等の天然繊維素材をやや粗く織ったいわゆるタオル地により形成される。かかるボディウォシュタオルは、比較的厚みがありかつ水濡れ状態での弾力性も小さいことから、石鹸等の洗剤が繊維素材に染み込んで空気との効率的な混ざり合いが抑制されて泡立ちが悪くなり、効率的かつ心地良いボディ洗いが行い得ない。
【０００３】
このため、もっぱら泡立ちを重点とした様々なボディケア商品が提供されている。例えば、特許文献１には、ナイロン繊維等の化学繊維をニット織りした布地を用いて弾力性をある立体形状に形成した全身洗浄用泡立て具が開示されている。また、特許文献２には、立体メッシュ構造のシート状中芯部材を外袋内に収納するとともに、外袋の片面に泡立て用フリルを設けたボディ洗いネットが開示されている。かかる特許文献１や特許文献２のボディケア商品は、良好な泡立ちにより手の届く部位の効率的かつ心地良いボディ洗いを行うことが可能ではあるが、背中洗いを行うことが困難である。
【０００４】
特許文献３には、上述した従来のボディウォシュタオルにおける低泡立ち性を改善するとともに特許文献１や特許文献２のボディケア商品で行うことが困難であった背中洗いを可能とする背中洗浄具が開示されている。背中洗浄具は、締め紐で一体に締め付けられることにより略球形を呈する２つのポリエチレン等のプラスチック製スクリムと、これらスクリムの両端にそれぞれ第１つなぎ紐と第２つなぎ紐を設けて構成する。背中洗浄具は、各スクリムが伸縮性と良好な泡立て性を有し、第１つなぎ紐と第２つなぎ紐を引っ張ることにより背中洗いを可能とする長さに伸ばされる。
【０００５】
【特許文献１】特開２００２−１９１５２６号公報
【特許文献２】実用新案登録第３１０９４１８号公報
【特許文献３】特表２００１−５１６６０３号公報
【考案の開示】
【考案が解決しようとする課題】
【０００６】
上述した特許文献３に開示された背中洗浄具は、簡易な構成により良好な泡立ち性を有するとともに背中洗いが可能である。かかる背中洗浄具においては、２つのスクリムを引き延ばすことにより所定の長さに設定されることになり、例えば自然状態の長さが約２０ｃｍ、引き延ばし状態で５６ｃｍとされる。したがって、背中洗浄具においては、未使用時においても比較的大きな形状となるために、限られたスペースの浴室内で邪魔になる。また、背中洗浄具においては、各スクリムを大きく引き延ばした場合に、弾力性が低下して泡立ち性が低下してしまうといった問題もある。
【０００７】
ボディウォシュタオルを含むボディケア商品は、浴室が癒し空間の場を構成することからその雰囲気作りに貢献する形態で形成されることが好ましく、特許文献３に開示された背中洗浄具のようなもっぱら機能的形態のものより例えば上述した特許文献２に開示されたボディ洗いネットのようなフリル付き形態が特に若い女性等に好まれる。
【０００８】
したがって、本考案は、簡易な構造かつ廉価であり、少量の洗剤でも泡立ち性に優れるとともに背中洗いも手軽に行うことを可能とし特徴的な形態を有するボディウォシュタオルを提供することを目的に提案されたものである。
【課題を解決するための手段】
【０００９】
上述した目的を達成する本考案にかかるボディウォシュタオルは、例えば天然繊維素材や合成樹脂繊維素材のメッシュシートを筒状体に丸めるとともに軸方向に二つ折りして一方を内部に折り込んで少なくとも二層構成とした少なくとも第１筒状体乃至第３筒状体とから構成される。ボディウォシュタオルは、第１筒状体に対して第２筒状体と第３筒状体が、第１筒状体の第１開口端部と第２開口端部にそれぞれの第１開口端部を重ね合わせて第１結束体と第２結束体により拡径・縮径自在に結合されることにより、第１筒状体の第１開口端部と第２開口端部からその内部に出し入れ自在とされる。ボディウォシュタオルは、第２筒状体と第３筒状体が、それぞれの第２開口端部を第１閉塞紐と第２閉塞紐により閉塞されるとともに、第１手持ち紐と第２手持ち紐が設けられる。
【００１０】
ボディウォシュタオルにおいては、繊維素材のメッシュシート繊維素材により少なくとも二層に形成された第１筒状体乃至第３筒状体から構成され、第１筒状体の内部に第２筒状体と第３筒状体を押し入れて収納することにより略球形体を呈する。ボディウォシュタオルにおいては、第１筒状体乃至第３筒状体によりメッシュシートの多層重ね合わせ体を構成することから、使用時において内部に水（お湯）と洗剤とを保持する大容量のメッシュ空間部を有するとともに大きな弾力特性を有して構成される。ボディウォシュタオルにおいては、体を洗っている間に水と洗剤を保持したメッシュ空間部の伸び縮みにより大量の泡立ちが生じ、効率的かつ心地良いボディ洗いが行われるようになる。ボディウォシュタオルにおいては、第１手持ち紐と第２手持ち紐を引っ張ることにより第１筒状体の内部から第２筒状体と第３筒状体とが引き出されて所定の長さとなることから、背中洗いも容易に行われるようになる。ボディウォシュタオルにおいては、洗剤の効率使用とともに良好な泡切れ特性も有し、節水や環境保護に貢献する。
【００１１】
また、上述した目的を達成する本考案にかかるボディウォシュタオルは、繊維素材のメッシュシートからなる筒状体を折り込んで少なくとも二層構成とした少なくとも第１筒状体乃至第５筒状体とから構成される。ボディウォシュタオルは、第１筒状体に対して第２筒状体と第３筒状体が、第１筒状体の第１開口端部と第２開口端部にそれぞれの第１開口端部を重ね合わせて第１結束体と第２結束体により拡径・縮径自在に結合されることにより、第１筒状体の第１開口端部と第２開口端部からその内部に出し入れ自在とされる。ボディウォシュタオルは、第１筒状体に対して第４筒状体と第５筒状体が、第１筒状体をそれぞれの内部に収納してその外周部の軸方向の略中央部において重ね合わせたそれぞれの第１開口端部を第３結束体により全周に亘って結合されるとともに、それぞれの第２開口端部側を第１筒状体の第１開口端部と第２開口端部から突出させるようにして第１結束体と第２結束体により第２筒状体と第３筒状体とに共締め状態で結合する。ボディウォシュタオルは、それぞれ第１閉塞紐と第２閉塞紐により閉塞された第２筒状体と第３筒状体の第２開口端部にそれぞれ手持ち紐が設けられる。
【００１２】
ボディウォシュタオルにおいては、繊維素材のメッシュシート繊維素材により少なくとも二層に形成された第１筒状体乃至第５筒状体から構成され、第１筒状体の内部に第２筒状体と第３筒状体を押し入れて収納するとともに第１筒状体を第４筒状体と第５筒状体に収納することにより略二連の球形体の両端部に第４筒状体と第５筒状体の第２開口端部位によるフリルが設けられた特徴的な形態を呈する。ボディウォシュタオルにおいては、第１筒状体乃至第５筒状体によりメッシュシートの多層重ね合わせ体を構成することから、使用時において内部に水と洗剤とを保持する大容量のメッシュ空間部を有するとともに大きな弾力特性を有して構成される。ボディウォシュタオルにおいては、体を洗っている間に水と洗剤を保持したメッシュ空間部の伸び縮みにより大量の泡立ちが生じ、効率的かつ心地良いボディ洗いが行われるようになる。
【００１３】
ボディウォシュタオルにおいては、第１手持ち紐と第２手持ち紐を引っ張ることにより第１筒状体の内部から第２筒状体と第３筒状体とが引き出されて所定の長さとなるとともに第１筒状体を第４筒状体と第５筒状体に収納した構成によりメッシュシートの多層重ね合わせ体構造も有効に保持され、大量の泡立ちを生じさせながら背中洗いも容易に行われるようになる。ボディウォシュタオルにおいては、洗剤の効率使用とともに良好な泡切れ特性も有し、節水や環境保護に貢献する。
【考案の効果】
【００１４】
以上のように構成された本考案にかかるボディウォシュタオルによれば、繊維素材のメッシュシートを用いた廉価な複数個の筒状体を組み合わせることにより内部に水と洗剤とを保持する大容量のメッシュ空間部と大きな弾性特性を有するメッシュシートの多層重ね合わせ体が構成され、少量の洗剤でも体を洗っている間に大量の泡立ちが生じて効率的かつ心地良いボディ洗いを行うことが可能となる。ボディウォシュタオルによれば、第１筒状体の内部に第２筒状体と第３筒状体を押し込んだ略球形体の小型かつ特徴的な形態を呈するとともに、第１手持ち紐と第２手持ち紐を引っ張って第１筒状体の内部から第２筒状体と第３筒状体とを引き出して所定の長さとすることにより背中洗いも手軽に行うことが可能となる。
【考案を実施するための最良の形態】
【００１５】
以下、本考案の実施の形態として図面に示したボディウォシュタオル１について詳細に説明する。ボディウォシュタオル１は、図１に示すように詳細を後述する第１筒状体２乃至第５筒状体６を組み合わせて構成される。ボディウォシュタオル１は、詳細を後述するように第１筒状体２に対して第２筒状体３と第３筒状体４を収納することにより、図２に示すように外周部に多数のフリフリが形成された柔なかな略球形体、いわゆるボンボン形状を呈する。また、ボディウォシュタオル１は、第２筒状体３と第３筒状体４が、上述した第１筒状体２に収納された状態から図３に示すように左右に引き出されて全体として背中洗いが可能な長さとなる。ボディウォシュタオル１は、図１に示すように第１筒状体２を芯材としてその外周部に第４筒状体５と第５筒状体６が重ね合わせ状態で組み合わされる。
【００１６】
ボディウォシュタオル１は、詳細を後述するように第１筒状体２に対して第２筒状体３と第４筒状体５を共締め状態で結合する第１結束体７を備える。ボディウォシュタオル１は、詳細を後述するように第１筒状体２に対して第３筒状体４と第５筒状体６を共締め状態で結合する第２結束体８を備える。ボディウォシュタオル１は、詳細を後述するように第１筒状体２に対して第４筒状体５と第５筒状体６を共締め状態で結合する第３結束体９を備える。
【００１７】
ボディウォシュタオル１は、詳細を後述するように第２筒状体３に第１閉塞紐１０と第１手持ち紐１１が設けられるとともに、第３筒状体４に第２閉塞紐１２と第２手持ち紐１３が設けられる。ボディウォシュタオル１は、詳細を後述するように第１筒状体２内に洗剤装填袋１４が複数本の吊り紐１５により吊り下げた状態で設けられる。
【００１８】
ボディウォシュタオル１は、第１筒状体２乃至第５筒状体６が、図４に示す同一素材の天然繊維素材や合成樹脂繊維素材により形成された比較的粗いメッシュに織られた同一形状のメッシュシート１６を用いて形成される。ボディウォシュタオル１は、第１筒状体２乃至第５筒状体６に、繊維素材として、綿や麻等の天然繊維素材よりは軽量で柔らかく弾力性や撥水性を有して全体として泡立ちも良好となるナイロン繊維やポリエステル繊維等の合成樹脂繊維素材が好適に用いられる。ボディウォシュタオル１は、例えば外周体を構成する第４筒状体５や第５筒状体６を体に優しい感触を与える綿等の天然繊維素材を用いて形成するとともに、芯体となる第１筒状体２乃至第３筒状体４を合成樹脂繊維を用いて形成してもよい。
【００１９】
なお、ボディウォシュタオル１は、第１筒状体２乃至第５筒状体６を、異なる色調の繊維素材により形成したメッシュシート１６を用いて形成するようにしてもよい。ボディウォシュタオル１は、第１筒状体２乃至第５筒状体６が重ね合わせ状態で組み合わされることにより、各層のメッシュシートの色調がメッシュを通して混色されて状態となり独自の色調を呈するようになる。また、ボディウォシュタオル１は、後述するように第１筒状体２から色調を異にする第２筒状体３や第３筒状体４が引き出されることにより、カラフルな色調を呈するようになる。
【００２０】
第１筒状体２乃至第５筒状体６は、上述した繊維素材を用いて形成したメッシュシート１６を、その長さ方向の両側縁を重ね合わせて結合することにより図５に示した筒状中間体１７を形成する。第１筒状体２乃至第５筒状体６は、例えばメッシュシート１６をナイロン繊維で形成した場合に、重ね合わせた両側縁に熱溶着処理等が施こされて結合が行われる。第１筒状体２乃至第５筒状体６は、この筒状中間体１７の長さ方向の一方部位を他方部位の内部へと折り込んで重ね合わせた端部を結合して形成された、図６に示す全体として二層の筒状体１８が用いられる。なお、第１筒状体２乃至第５筒状体６は、この二層筒状体１８をさらに内部へと折り込むことにより四層の筒状体として構成したものを用いるようにしてもよい。
【００２１】
ボディウォシュタオル１は、第２筒状体３乃至第５筒状体６に上述した筒状体１８をそのままの体裁で用いるが、第１筒状体２に用いる筒状体１８Ａには図７に示すようにその内部空間１９に洗剤装填袋１４が取り付けられる。すなわち、第１筒状体２は、筒状体１８Ａの外周部に軸方向のスリット２０を形成するとともに、このスリット２０を塞ぐようにして内部空間１９側から洗剤装填袋１４を取り付けて形成する。第１筒状体２は、上述したメッシュシート１６と同一繊維素材により袋体を形成し、この袋体の開口部に合成樹脂製ファスナ２１を取り付けた洗剤装填袋１４が、図１に示すようにそのファスナシートをスリット２０の開口縁に縫い止めされる。洗剤装填袋１４は、袋体と第１筒状体２の内周部の間に架け渡した複数本の吊り紐１５により、第１筒状体２の内部空間１９に浮いた状態で保持される。
【００２２】
ボディウォシュタオル１においては、上述した第１筒状体２に対して、その第１開口端部２２側に第１結束体７により第２筒状体３と第４筒状体５が共締め状態で結合され、また第２開口端部２３側に第２結束体８により第３筒状体４と第５筒状体６が共締め状態で結合される。第２筒状体３は、第１開口端部２４側を第１筒状体２の第１開口端部２２に結合されるとともに、第２開口端部２５側に第１手持ち紐１１が設けられる。第３筒状体４は、第１開口端部２６側を第１筒状体２の第２開口端部２３に結合されるとともに、第２開口端部２７側に第２手持ち紐１３が設けられる。
【００２３】
すなわち、第１筒状体２には、図１に示すようにその第１開口端部２２の内周部に対して第２筒状体３がその第１開口端部２３の外周部を折り返し状態で全周に亘って重ね合わされる。第１筒状体２と第２筒状体３は、この重ね合わせ部位をすぼませながら円周方向に対して多数の襞を付けた状態にして第１結束体７により摘み縫いを施すことにより結合される。第１結束体７には、所定の外径とある程度の弾性を有する紐体や帯体、例えばナイロン製結合テープ、ゴム紐等が用いられ、第１筒状体２と第２筒状体３の結合部位により構成される第１結合開口部２８を拡径・縮径自在とする。
【００２４】
また、第１筒状体２には、同様にしてその第２開口端部２３の内周部に対して第３筒状体４がその第１開口端部２６の外周部を折り返し状態で全周に亘って重ね合わされる。第１筒状体２と第３筒状体４も、この重ね合わせ部位をすぼませながら円周方向に対して多数の襞を付けた状態にして第２結束体８により摘み縫いを施すことにより結合される。なお、第２結束体８も、上述した第１結束体７と同一の結合テープ等が用いられ、第１筒状体２と第３筒状体４の結合部位により構成される第２結合開口部２９を拡径・縮径自在とする。
【００２５】
ボディウォシュタオル１においては、上述したように第１筒状体２に対して第２筒状体３と第３筒状体４が、それぞれの第１開口端部２４、２６を折り返し状態にして第１結束体７と第２結束体８によりそれぞれ結合される。したがって、ボディウォシュタオル１においては、第１筒状体２に対して第２筒状体３と第３筒状体４が強固に結合されるとともに、第２筒状体３と第３筒状体４を第１結合開口部２８と第２結合開口部２９を介して第１筒状体２の内部空間１９内にスムーズに押し込んで収納することが可能とされる。
【００２６】
ボディウォシュタオル１においては、図１に示すように上述した第２筒状体３の第２開口端部２５側において、内部で抜け止めの結び玉を形成したループ状の第１手持ち紐１１が引き出される。第２筒状体３は、第２開口端部２５が第１閉塞紐１０により絞り込まれて閉塞され、所定長さの第１手持ち紐１１を引き出す。
【００２７】
ボディウォシュタオル１においては、同様にして上述した第３筒状体４の第２開口端部２７側において、内部で抜け止めの結び玉を形成したループ状の第２手持ち紐１３が引き出される。第３筒状体４は、第２開口端部２７が第２閉塞紐１２により絞り込まれて閉塞され、所定長さの第２手持ち紐１３を引き出す。
【００２８】
ボディウォシュタオル１においては、図１に示すように第１筒状体２の外周部に、軸方向の略中央部に位置して第３結束体９により第４筒状体５と第５筒状体６が共締め状態で結合される。第４筒状体５は、上述したように第１筒状体２と同形に形成されることから第１開口端部３０側から第１筒状体２の外周部に嵌挿されることにより第２開口端部３１側が第１筒状体２の第１開口端部２２から突出される。第４筒状体５は、上述した第１筒状体２と第２筒状体３とを結合する第１結束体７を共通の結束体として第２開口端部３１から内側位置において第１筒状体２に結合される。第４筒状体５も、その際に第１結束体７により摘み縫いが施されることにより多数の襞が付けられる。
【００２９】
ボディウォシュタオル１においては、同様にして第５筒状体６が、第１開口端部３３側から第１筒状体２の外周部に嵌挿される。第５筒状体６も、第１筒状体２と同形に形成されることから第２開口端部３４側が第１筒状体２の第２開口端部２３から突出される。第５筒状体６は、上述した第１筒状体２と第３筒状体４とを結合する第２結束体８を共通の結束体として第２開口端部３４から内側位置において第１筒状体２に結合される。第４筒状体５も、その際に第２結束体８により摘み縫いが施されることにより多数の襞が付けられる。
【００３０】
ボディウォシュタオル１においては、図１に示すように第１筒状体２の外周部において第４筒状体５の第１開口端部３０と第５筒状体６の第１開口端部３３が重ね合わされ、この重ね合わせ部位を第３結束体９により第１筒状体２に共締め状態で結合する。第３結束体９は、上述した第１結束体７や第２結束体８よりも大径の結合テープ等が用いられ、第１筒状体２に対して第４筒状体５と第５筒状体６の重ね合わせ部位をすぼませながら円周方向に対して多数の襞を付けた状態にして摘み縫いして結合する。ボディウォシュタオル１においては、これにより第４筒状体５と第５筒状体６が多数のフリフリを形成して第１筒状体２を収納する。
【００３１】
なお、ボディウォシュタオル１においては、図２に示すように上述した第１筒状体２に組み付けた洗剤装填袋１４に対応する第４筒状体５又は第５筒状体６の外周部にスリット３４が形成される。ボディウォシュタオル１は、このスリット３４を介して洗剤装填袋１４のファスナ２１を外方に臨ませるようにし、洗剤装填袋１４に石鹸等の固形洗剤３５を出し入れ自在とする。
【００３２】
以上のように構成されたボディウォシュタオル１は、図２に示すように第１筒状体２の内部空間１９に第２筒状体３と第３筒状体４が押し込まれることにより、上述したように全体に多数のフリフリが形成されたボンボン形状を呈する。ボディウォシュタオル１は、それぞれ二層構成の第１筒状体２乃至第５筒状体６が積層状態に組み合わされた多層重ね合わせ体として構成される。したがって、ボディウォシュタオル１は、内部に大容量のメッシュ空間部を有するとともに大きな弾力特性を有して構成される。
【００３３】
ボディウォシュタオル１においては、例えばお湯に浸すことによりお湯が内部に効率よく浸透するとともに塗り付けたボディソープ等の液体洗剤も内部に効率よく浸透し、内部に構成されたメッシュ空間部に保持される。ボディウォシュタオル１においては、この状態で手持ちで体を洗うことによりお湯と洗剤を保持したメッシュ空間部に伸び縮みが生じて充分な空気が供給されて大量の泡立ちが生じ、効率的かつ心地良いボディ洗いが行われるようになる。
【００３４】
ボディウォシュタオル１においては、例えば背中洗いを行う場合に、第１手持ち紐１１と第２手持ち紐１３が引っ張られる。ボディウォシュタオル１においては、これにより第１手持ち紐１１を設けた第２筒状体３と第２手持ち紐１３を設けた第３筒状体４が、図３に示すように第１筒状体２の内部からそれぞれ引き出されて所定の長さとなる。ボディウォシュタオル１においては、第１手持ち紐１１と第２手持ち紐１３を持って背中洗いが行われる。
【００３５】
ボディウォシュタオル１においては、背中洗いの際に第１筒状体２乃至第５筒状体６が伸ばされた状態となる。ボディウォシュタオル１においては、上述したように第１筒状体２乃至第５筒状体６の二層構成とフリフリ構成とにより、内部において大容量のメッシュ空間部が保持されるとともに大きな弾力特性も保持される。したがって、ボディウォシュタオル１においては、背中洗いを行う場合でも大量の泡立ちが生じて効率的かつ心地良い背中洗いが手軽に行われるようになる。
【００３６】
ボディウォシュタオル１においては、上述したように第１筒状体２に洗剤装填袋１４が備えられる。ボディウォシュタオル１においては、洗剤装填袋１４に液体洗剤と比較して廉価であるが泡立ちの即効性に劣る石鹸等の固形洗剤３５を装填して用いることにより、液体洗剤と同様の使い心地を楽しむことが可能である。ボディウォシュタオル１においては、スリット３４を介して外方に臨まされるファスナ２１を開き、図１に示すように洗剤装填袋１４内に固形洗剤３５が装填される。ボディウォシュタオル１においては、ファスナ２１を閉じて洗剤装填袋１４から固形洗剤３５が落ちないようにした状態で手持ち洗い或いは背中洗いが行われる。
【００３７】
ボディウォシュタオル１においては、内部空間１９に収納した洗剤装填袋１４内に装填した固形洗剤３５を囲むようにして大容量のメッシュ空間部が構成されことから、使用するにしたがって各筒状体や洗剤装填袋１４を形成する繊維素材が固形洗剤３５を擦ってお湯に溶かし込む。ボディウォシュタオル１においては、お湯と洗剤を保持したメッシュ空間部の伸び縮みにより充分な空気が供給されて大量の泡立ちが生じ、液体洗剤を用いる場合と同様に効率的かつ心地良いボディ洗いが行われるようになる。
【００３８】
第１の実施の形態として示したボディウォシュタオル１においては、上述したように第１筒状体２乃至第５筒状体６を組み合わせて構成したが、本考案はかかるボディウォシュタオル１に限定されるものでは無い。第２の実施の形態として図８及び図９に示したボディウォシュタオル４０は、上述したメッシュシート１６を用いて形成した３個の第１筒状体４１乃至第３筒状体４３を組み合わせて構成される。
【００３９】
ボディウォシュタオル４０は、図８に示すように第１筒状体４１に対してその内部に第２筒状体４２と第３筒状体４３を収納自在とし、これら第２筒状体４２と第３筒状体４３を収納した状態において図９に示すように柔なかな略楕円球形体を呈する。また、ボディウォシュタオル４０も、第２筒状体４２と第３筒状体４３が、第１筒状体４１に収納された状態から左右に引き出されることにより全体として背中洗いが可能な長さとなる。
【００４０】
ボディウォシュタオル４０は、第１筒状体４１に対して第２筒状体４２を結合する弾性を有する第１結束体４４と、第１筒状体４１に対して第３筒状体４３を結合する弾性を有する第２結束体４５を備える。ボディウォシュタオル４０は、第１筒状体４１が、第１開口端部４６と第２開口端部４７を第１結束体４４と第２結束体４５によりそれぞれ拡径・縮径自在に絞り込まれる。
【００４１】
ボディウォシュタオル４０は、第１開口端部５０を上述した第１結束体４４により第１筒状体４１に結合された第２筒状体４２の第２開口端部５１を閉塞する第１閉塞紐５２を備える。ボディウォシュタオル４０は、第２筒状体４２に、第１閉塞紐５２により閉塞された第２開口端部５１から引き出される第１手持ち紐５３を備える。ボディウォシュタオル４０は、第１開口端部５４を上述した第２結束体４５により第１筒状体４１に結合された第３筒状体４３の第２開口端部５５を閉塞する第２閉塞紐５６を備える。ボディウォシュタオル４０は、第３筒状体４３に、第２閉塞紐５６により閉塞された第２開口端部５５から引き出される第２手持ち紐５７を備える。
【００４２】
ボディウォシュタオル４０においては、第１筒状体４１に対して第２筒状体４２が、その第１開口端部５０を嵌挿端として第１筒状体４１の第１開口端部４６側から内部空間５８内に嵌挿される。第２筒状体４２は、図８に示すように第１筒状体４１に対して第１結束体４４により第１開口端部５０を第１筒状体４１の第１開口端部４６の内周部に結合される。第２筒状体４２は、同図に示すようにその第１開口端部５０の外周部を折り返し状態で全周に亘って第１筒状体４１の第１開口端部４６の内周部に重ね合わせ、この重ね合わせ部位を第１筒状体４１の第１開口端部４６とともにすぼませながら円周方向に対して多数の襞を付けた状態にして第１結束体４４により摘み縫いを施して結合される。
【００４３】
ボディウォシュタオル４０においては、弾性を有する第１結束体４４を用いることにより第１筒状体４１の第１開口端部４６を拡径・縮径自在とし、この第１開口端部４６を介して第２筒状体４２を第１筒状体４１に対して出し入れ自在とする。ボディウォシュタオル４０においては、第２筒状体４２が第２開口端部５１を第１閉塞紐５２により絞り込んで閉塞するとともに、内部で抜け止めの結び玉を形成したループ状の第１手持ち紐５３を隙間を介して引き出す。
【００４４】
ボディウォシュタオル４０においては、第１筒状体４１に対して第３筒状体４３が、その第１開口端部５４を嵌挿端として第１筒状体４１の第１開口端部４６側から内部空間５８内に嵌挿される。第３筒状体４３は、図８に示すように第１筒状体４１に対して第２結束体４５により第１開口端部５４を第１筒状体４１の第１開口端部４６の内周部に結合される。第３筒状体４３は、同図に示すようにその第１開口端部５４の外周部を折り返し状態で全周に亘って第１筒状体４１の第１開口端部４６の内周部に重ね合わせ、この重ね合わせ部位を第１筒状体４１の第１開口端部４６とともにすぼませながら円周方向に対して多数の襞を付けた状態にして第２結束体４５により摘み縫いを施して結合される。
【００４５】
ボディウォシュタオル４０においては、弾性を有する第２結束体４５を用いることにより第１筒状体４１の第１開口端部４６を拡径・縮径自在とし、この第１開口端部４６を介して第３筒状体４３を第１筒状体４１に対して出し入れ自在とする。ボディウォシュタオル４０においては、第３筒状体４３が第２開口端部５５を第２閉塞紐５６により絞り込んで閉塞するとともに、内部で抜け止めの結び玉を形成したループ状の第２手持ち紐５７を隙間を介して引き出す。
【００４６】
なお、ボディウォシュタオル４０においても、図示を省略するが第１筒状体４１の内部に上述したボディウォシュタオル１と同様に洗剤装填袋１４を設けて固形洗剤３５が効率的に用いられるようにする。ボディウォシュタオル４０においては、ボディウォシュタオル１と同様に第１筒状体４１を二層構成としたが、内部により高容量のメッシュ空間部が構成されるようにするために四層構成の筒状体とするようにしてもよい。
【００４７】
以上のように構成されたボディウォシュタオル４０は、第１筒状体４１の内部空間５８内に第１開口端部４６と第２開口端部４７を拡げて第２筒状体３と第３筒状体４が押し込まれることにより、図９に示すように全体が柔なかな略楕円球形体の形状を呈する。ボディウォシュタオル４０においても、例えばお湯に浸すことによりお湯が内部に効率よく浸透するとともに塗り付けたボディソープ等の液体洗剤も内部に効率よく浸透し、内部に構成されたメッシュ空間部に保持される。ボディウォシュタオル４０においては、この状態で手持ちで体を洗うことによりお湯と洗剤を保持したメッシュ空間部に伸び縮みが生じて充分な空気が供給されて大量の泡立ちが生じ、効率的かつ心地良いボディ洗いが行われるようになる。
【００４８】
ボディウォシュタオル４０においても、例えば背中洗いを行う場合に、第１手持ち紐５３と第２手持ち紐５７が引っ張られる。ボディウォシュタオル４０においては、これにより第１手持ち紐５３を設けた第２筒状体４２と第２手持ち紐５７を設けた第３筒状体５３が、第１筒状体４１の内部空間５８からそれぞれ引き出されて所定の長さとなる。ボディウォシュタオル４０においては、第１手持ち紐５３と第２手持ち紐５７を持って背中洗いが行われる。
【００４９】
ボディウォシュタオル４０においても、背中洗いの際に第１筒状体４１乃至第３筒状体４３が伸ばされた状態となる。ボディウォシュタオル４０においては、上述したように第１筒状体４１乃至第３筒状体４３の二層構成により、内部において大容量のメッシュ空間部が保持されるとともに大きな弾力特性も保持される。したがって、ボディウォシュタオル４０においては、背中洗いを行う場合でも大量の泡立ちが生じて効率的かつ心地良い背中洗いが手軽に行われるようになる。
【図面の簡単な説明】
【００５０】
【図１】本考案の実施の形態として示すボディウォシュタオルの断面図である。
【図２】同ボディウォシュタオルの正面図である。
【図３】同ボディウォシュタオルの背中洗い使用形態を示す正面図である。
【図４】同ボディウォシュタオルに用いるメッシュシートの斜視図である。
【図５】メッシュシートを巻いた筒状中間体の斜視図である。
【図６】筒状中間体を折り込んだ筒状体の斜視図である。
【図７】第１筒状体の斜視図である。
【図８】第２の実施の形態として示すボディウォシュタオルの断面図である。
【図９】同ボディウォシュタオルの正面図である。
【符号の説明】
【００５１】
１  ボディウォシュタオル、２  第１筒状体、３  第２筒状体、４  第３筒状体、５  第４筒状体、６  第５筒状体、７  第１結束体、８  第２結束体、９  第３結束体、１０  第１閉塞紐、１１  第１手持ち紐、１２  第２閉塞紐、１３  第２手持ち紐、１４  洗剤装填袋、１５  吊り紐、１６  メッシュシート、１８  筒状体、１９  内部空間、２１  ファスナ、２２  第１開口端部、２３  第２開口端部、２４  第１開口端部、２５  第２開口端部、２６  第１開口端部、２７  第２開口端部、２８  第１結合開口部、２９  第２結合開口部、３０  第１開口端部、３１  第２開口端部、３２  第１開口端部、３３  第２開口端部、４０  ボディウォシュタオル、４１  第１筒状体、４２  第２筒状体、４３  第３筒状体、４４  第１結束体、４５  第２結束体、４６  第１開口端部、４７  第２開口端部、５０  第１開口端部、５１  第２開口端部、５２  第１閉塞紐、５３  第１手持ち紐、５４  第１開口端部、５５  第２開口端部、５６  第２閉塞紐、５７  第２手持ち紐、５８  内部空間
【図１】
0003125930.tif 000003
【図２】
0003125930.tif 000004
【図３】
0003125930.tif 000005
【図４】
0003125930.tif 000006
【図５】
0003125930.tif 000007
【図６】
0003125930.tif 000008
【図７】
0003125930.tif 000009
【図８】
0003125930.tif 000010
【図９】
0003125930.tif 000011